(57)【特許請求の範囲】
【請求項１】
躯体壁開口部に設けた外側サッシ枠と、外側サッシ枠の室内側に設けた内側サッシ枠と、外側サッシ枠の内周側を閉塞する外側閉塞体と、内側サッシ枠の内周側を閉塞する内側閉塞体と、内側閉塞体を収納する内側閉塞体収納部と、閉塞空間部とを備え、内側閉塞体は複数枚の引戸であり、内側閉塞体収納部は躯体壁と躯体壁の室内側に間隔をおいて位置する内壁との間に位置し且つ内側サッシ枠の左右枠の少なくとも一つの枠の外周側に設けてあり、内側閉塞体と外側閉塞体との間には中間空気層が設けてあり、閉塞空間部は内側サッシ枠の上下左右枠の少なくとも一つの枠の外周側で躯体壁と内壁との間に設けてあり且つ内部に枠外周側空気層と吸音材とを有し、枠には閉塞空間部と中間空気層とを連通する連通部が設けてあり、枠外周側空気層は室内及び室外と遮断してあり、吸音材は内周側面が中間空気層に連通し且つ吸音材の外周側面、室内側面及び室外側面のうちの少なくとも一つの面が枠外周側空気層に面していることを特徴とする二重サッシ。
【請求項２】
枠外周側空気層は、吸音材の外周側面に位置することを特徴とする請求項１に記載の二重サッシ。
【請求項３】
躯体開口部に設けた外側サッシ枠と、外側サッシ枠の室内側に設けた内側サッシ枠と、外側サッシ枠の内周側を閉塞する外側閉塞体と、内側サッシ枠の内周側を閉塞する内側閉塞体と、内側閉塞体を収納する内側閉塞体収納部とを備え、内側閉塞体は複数枚の引戸であり、内側閉塞体収納部は躯体壁の室内側における内側サッシ枠の内周側に設けてあり、内側閉塞体と外側閉塞体との間には中間空気層が設けてあり、内側サッシ枠の上下左右枠の少なくとも一つの枠は内部が室内及び室外と遮断してあり、内部に吸音材と枠内空気層が設けてあり、吸音材は内周側面が中間空気層に連通し且つ吸音材の外周側面、室内側面及び室外側面のうちの少なくとも一つの面が枠内空気層に面していることを特徴とする二重サッシ。
【請求項４】
枠内空気層及び吸音材は、内側閉塞体収納部が設けてある内側サッシ竪枠に設けてあり且つ内側閉塞体収納部の外周側に位置することを特徴とする請求項３に記載の二重サッシ。
【発明の詳細な説明】
【技術分野】
【０００１】
本発明は、二重サッシに関する。
【背景技術】
【０００２】
特許文献１には、内側閉塞体と外側閉塞体との間の中間空気層に面するサッシ枠内周面に吸音材を設けた二重サッシが開示されている。
【０００３】
【特許文献１】特開２００２−６１４６５号公報
【発明の開示】
【発明が解決しようとする課題】
【０００４】
しかし、サッシ枠内周面に吸音材を配置しただけでは、高速道路騒音や航空機騒音に多く含まれる周波数成分（高周波域）及び一般道路騒音や電車騒音に多く含まれる周波数成分（低周波域）の両方に対して十分な遮音効果を得ることができないという問題がある。
また、二重サッシにおいて、内側閉塞体が引戸で内側閉塞体収納部（戸袋）を有する場合に、中間空気層の音が内側閉塞体収納部に伝播して、十分な遮音を図れないおそれがある。
更に、上述の従来技術のようにサッシ枠内周面に吸音材を設けた場合は、吸音材が外部から見えるので外観を損なうという問題点があった。
【０００５】
そこで、本発明は、内側閉塞体が引戸であり且つ内側閉塞体収納部を有する構造において、遮音効果に優れ且つ外観が良い二重サッシの提供を目的とする。
【課題を解決するための手段】
【０００６】
請求項１に記載の発明は、躯体壁開口部に設けた外側サッシ枠と、外側サッシ枠の室内側に設けた内側サッシ枠と、外側サッシ枠の内周側を閉塞する外側閉塞体と、内側サッシ枠の内周側を閉塞する内側閉塞体と、内側閉塞体を収納する内側閉塞体収納部と、閉塞空間部とを備え、内側閉塞体は複数枚の引戸であり、内側閉塞体収納部は躯体壁と躯体壁の室内側に間隔をおいて位置する内壁との間に位置し且つ内側サッシ枠の左右枠の少なくとも一つの枠の外周側に設けてあり、内側閉塞体と外側閉塞体との間には中間空気層が設けてあり、閉塞空間部は内側サッシ枠の上下左右枠の少なくとも一つの枠の外周側で躯体壁と内壁との間に設けてあり且つ内部に枠外周側空気層と吸音材とを有し、枠には閉塞空間部と中間空気層とを連通する連通部が設けてあり、枠外周側空気層は室内及び室外と遮断してあり、吸音材は内周側面が中間空気層に連通し且つ吸音材の外周側面、室内側面及び室外側面のうちの少なくとも一つの面が枠外周側空気層に面していることを特徴とする。
【０００７】
請求項２に記載の発明は、請求項１に記載の発明において、枠外周側空気層は、吸音材の外周側面に位置することを特徴とする。
【０００８】
請求項３に記載の発明は、躯体開口部に設けた外側サッシ枠と、外側サッシ枠の室内側に設けた内側サッシ枠と、外側サッシ枠の内周側を閉塞する外側閉塞体と、内側サッシ枠の内周側を閉塞する内側閉塞体と、内側閉塞体を収納する内側閉塞体収納部とを備え、内側閉塞体は複数枚の引戸であり、内側閉塞体収納部は躯体壁の室内側における内側サッシ枠の内周側に設けてあり、内側閉塞体と外側閉塞体との間には中間空気層が設けてあり、内側サッシ枠の上下左右枠の少なくとも一つの枠は内部が室内及び室外と遮断してあり、内部に吸音材と枠内空気層が設けてあり、吸音材は内周側面が中間空気層に連通し且つ吸音材の外周側面、室内側面及び室外側面のうちの少なくとも一つの面が枠内空気層に面していることを特徴とする。
【０００９】
請求項４に記載の発明は、請求項３に記載の発明において、枠内空気層及び吸音材は、内側閉塞体収納部が設けてある内側サッシ竪枠に設けてあり且つ内側閉塞体収納部の外周側に位置することを特徴とする。
【発明の効果】
【００１０】
請求項１に記載の発明によれば、内側サッシ枠の上下左右枠の少なくとも一つの枠の外周側には、中間空気層に連通する閉塞空間部が設けてあり且つ閉塞空間部は吸音材と枠外周側空気層とを内部に設けているから、中間空気層に伝播した音は閉塞空間部において吸音材と枠外周側空気層とによって減衰できるので、高い遮音効果を得ることができる。
また、閉塞空間部において、吸音材のみでは高周波音しか減衰できないが、枠外周側空気層と吸音材とを設けることにより、低周波音も合わせて減衰できる。これにより、高周波域及び低周波域の両方に対して効果的な遮音を図ることができる。
吸音材はサッシ枠の外周側に設けており、外部から吸音材が見え難くいので、外観が良い。
内側サッシ枠の左右枠の少なくとも一つの枠の外周側には内側閉塞体収納部を設けて内側閉塞体を収納できるようにしてあるから、内側閉塞体を開けたときに内側サッシ枠の内周に内側閉塞体が残らないように広く開けることができる。
【００１１】
請求項２に記載の発明によれば、請求項１に記載の発明と同様の効果を奏すると共に、必要以上に見込み寸法を大きく取らなくて済む。
【００１２】
請求項３に記載の発明によれば、内側サッシ枠の上下左右枠の少なくとも一つの枠の内部には吸音材と枠内空気層とを設けているから、中間空気層に伝播した音は吸音材と枠内空気層とによって減衰できるので、高い遮音効果を得ることができる。
また、吸音材のみでは高周波音しか減衰できないが、枠内には枠内空気層と吸音材とを設けているので、低周波音も合わせて減衰できる。これにより、高周波域及び低周波域の両方に対して効果的な遮音を図ることができる。
吸音材はサッシ枠の内部に設けており、外部から吸音材が見え難くいので、外観が良い。
躯体開口部に設置した内側サッシ枠に枠内空気層を形成して吸音材を設置したり、予め吸音材及び枠内空気層を設けたサッシ枠を躯体開口部に設置することにより施行できるので、施行が容易である。
内側サッシ枠の内周側に内側閉塞体収納部を設けて内側閉塞体を収納できるようにしてあるから、内側閉塞体を開けたときに内側サッシ枠の内周に内側閉塞体が残らないように広く開けることができる。
【００１３】
請求項４に記載の発明によれば、請求項３に記載の発明と同様の効果を奏すると共に、一つのサッシ枠に内側閉塞体収納部と吸音材と枠内空気層とを集約できるので施工が容易である。
また、内側閉塞体収納部を通じて吸音材を中間空気層に面することができ、サッシ枠に吸音材用の連通孔を別途設けなくて済む。
【発明を実施するための最良の形態】
【００１４】
以下に、添付図面を参照して本発明の実施の形態を説明する。図１は本発明の第１実施の形態に係る二重サッシの横断面図であり、図２は図１のＡ−Ａ位置で切断した二重サッシの縦断面図であり、図３は図１のＢ−Ｂ位置で切断した二重サッシの縦断面図であり、図４は本発明品の遮音効果試験の結果を比較例と共に示すグラフである。
第１実施の形態に係る二重サッシ１は、外側サッシ枠３、内側サッシ枠５、外側サッシ枠３の内周側を閉塞する外側閉塞体７と、内側サッシ枠５の内周側を閉塞する内側閉塞体９と、内側閉塞体９を収納する内側閉塞体収納部１１とを備えている。
外側サッシ枠３は、躯体壁８の開口部内周に取付けてある。
内側サッシ枠５は、外側サッシ枠３よりも室内側の位置に設けられている。外側サッシ枠３と内側サッシ枠５との間において躯体壁８の内周には躯体開口枠１０が設けてある。
外側閉塞体７は、引違いサッシの障子であり、互いに引き違う２枚の障子１３は框１５と単板ガラス１７とから構成されている。各障子１３は、各々サッシ枠７の室外側レール１９を移動して開閉するようになっている。
内側閉塞体９は、３枚の引き違い障子２１で構成されている。各障子２１は、框２３と框２３に取付けられたポリカーボネートパネル２５とから構成されている。各障子２１は、各々サッシ枠５の上枠２９に設けた室内側レール１３を移動して開閉するようになっている。
内側閉塞体９と外側閉塞体７との間には中間空気層２７が設けられている。
内側サッシ枠５は、上枠２９と、左右の竪枠３３、３５とから構成されており、一方の竪枠（右竪枠）３３の外周側には内側閉塞体収納部１１が設けられていると共に、一方の竪枠３３には内側閉塞体９を内側閉塞体収納部１１に引き込み可能な連通部３７が形成されている。尚、連通部３７は開口である。
内側閉塞体収納部１１は、躯体壁８と躯体壁８の室内側に間隔をおいて位置する内壁１４との間に設けてあり、この内側閉塞体収納部１１内には、内側閉塞体９の各障子２１を並列にして収納する空間が形成されている。
内側サッシ枠５の一方の竪枠３３の外周側において、内側閉塞体収納部１１の外周側には閉塞空間部３９が設けられている。更に、本実施の形態では、内側サッシ枠５の上枠２９の外周側にも閉塞空間部４１が設けられている。竪枠３３側の閉塞空間部３９は、竪枠３３に設けた開口（連通部）３７と、内側閉塞体収納部１１とにより中間空気層２７に連通している。上枠２９側の閉塞空間部４１は、上枠２９の外周側において、一方の竪枠３３側の端部から上枠２９の長手方向略半分の位置まで設けてあり、上枠２９には、連通部４３が設けてあり、閉塞空間部４１が連通部４３を通じて中間空気層２７に連通している。連通部４３は開口である。
一方の閉塞空間部３９及び他方の閉塞空間部４１は、各々内部に吸音材４５を備え、吸音材４５の外周側に枠外周側空気層４７が設けてある。吸音材４５は内周側面４５ａが中間空気層２７に面している。また、各吸音材４５の外周側面４５ｂは枠外周側空気層４７に面している。
竪枠側の閉塞空間部３９及び上枠側の閉塞空間部４１では、各々吸音材４５の内周側面４５ａには目板４９は設けてあり、目板４９には多数の孔が形成されている。
各枠外周側空気層４７と中間空気層２７とはそれぞれ各吸音材４５を挟んで連通されている。
尚、本実施の形態では、吸音材４５の容積と枠外周側空気層３７とは略同じ容積としてある。
目板４１はパンチングメタルであり複数の連通口５１が形成されており、吸音材４５と中間空気層２７との連通が図られている。
吸音材４５は、発泡コンクリートやセラミック等の剛性吸音材であり且つ略直方体形状を成している。
【００１５】
次に、第１実施の形態に係る二重サッシ１の作用及び効果について説明する。二重サッシ１において、中間空気層２７に伝播した音は、一方の竪枠３３の連通部３７から内側閉塞体収納部１１を通って、竪枠側に設けた閉塞空間部３９に伝播し、閉塞空間部３９内に設けた吸音材４５により減衰されると共に、閉塞空間部３９の内部で吸音材３１の室外側にある枠外周側空気層４７でも減衰されるので、遮音性能を高めることができる。特に、吸音材４５で遮音し難い周波数（例えば、低周波数）の音を枠外周側空気層４７で減衰できるので、各周波数の音をバランス良く遮音できる。
また、上枠２９の外周側に設けた閉塞空間部４１でも、一方の閉塞空間部３９と同様に、中間空気層２７に伝播した音を吸音材４５及び枠外周側空気層４７で減衰するので更に遮音性能を高めることができる。
本実施の形態では、中間空気層２７の音エネルギーが竪枠側閉塞空間部３９及び上枠側閉塞空間部４１の内部に設けた各吸音材４５で減衰されて枠外周側空気層４７へ移動してこの枠外周側内空気層４７で減衰され、再度吸音材４７を通って減衰されて中間空気層２７に戻ったり、一方の閉塞空間部３９で減衰されて中間空気層２７に戻った音が次に他方の閉塞空間部４１で減衰されたり、他方の閉塞空間部４１で減衰されて中間空気層２７に戻った音が次に一方の閉塞空間部３９へ移動して減衰されるという工程を繰り返すことによって高い遮音効果を得ることができる。
また、中間空気層２７に伝播した音に限らず、躯体壁８や内壁１４に直接伝播した音も内壁１４と躯体壁８との間にある竪枠側の閉塞空間部３９や上枠側の閉塞空間部４１の内部にある吸音材３１及び枠外周側内空気層４７で減衰できるので高い遮音効果を得ることができる。
吸音材３１は内側サッシ枠５の外周側に設けており、外部から見え難くいので、外観が良い。また、吸音材４５は内側サッシ枠５の外周側に納めることにより、形状、材質等の制限が少なくでき使用する吸音材の自由度が高い。
二重サッシには内側閉塞体収納部１１を設けて内側閉塞体９を収納できるようにしてあるから、内側閉塞体９を内側閉塞体収納部１１内に収めて内側サッシ枠の内周を広く取ることができる。
【００１６】
次に、本発明品と比較例品とについて遮音効果試験を行ったので、その試験及び結果について説明する。
試験では、外側閉塞体７には厚み５ｍｍの単板ガラスを用い、内側閉塞体９には厚み４ｍｍのポリカーボネート板を用い、内側閉塞体９と外側閉塞体間７の中間空気層の巾は平均１１５ｍｍとした。
また、上述した実施の形態において、上枠２９の外周部に閉塞空間部３９を設けずに、竪枠３３の外周側にのみ閉塞空間部３９を設けたものを本発明品とした。尚、吸音材４５は縦横が１００ｍｍ×１３８ｍｍで高さ２５０ｍｍである。
一方、本発明品において、閉塞空間部３９に吸音材４５を設けないものを比較例品１とした。
また、本発明品において、閉塞空間部３９に吸音材４５のみを設け、枠外周側空気層４７を設けていないものを比較例品２とした。
上記本発明品と比較例品１及び２について、ＪＩＳ Ａ １４１６に規定する測定方法に基づいて各周波数毎に音響透過損失を測定したので、その結果を下記表１に示すと共に、本発明品と比較例品１及び２の各値をプロットしたものを図４のグラフに示す。尚、下記表１及び図４のグラフにおいて、○は本発明品であり、●は比較例品１、△は比較例品２である。
【００１７】
【表１】
0004483755.tif 000002
【００１８】
図４のグラフから明らかなように、本発明品は比較例品１及び２との比較において、低周波域（周波数１６０Ｈｚでは比較例１より劣るが、その他の周波数領域では、低周波数領域及び高周波領域共に比較例１及び２よりも優れており、総合的に見ると、比較例品１及び２よりも遮音効果に優れている。
尚、表１において、Ｔ−２及びＴ−３で示すのは、遮音性能の適合等級（ＪＩＳ  Ａ  ４７０６の規定）である。遮音性能の適合等級について、表１の測定値から判定したところ、本発明品はＴ−３の適合等級であった。
【００１９】
次に、図５を参照して本発明の第２実施の形態を説明するが、以下に説明する実施の形態において、上述した第１実施の形態と同一の作用効果を奏する部分には同一の符号を付することによりその部分の詳細な説明を省略し、以下の説明では上述した実施１実施の形態と主に異なる点を説明する。尚、図５は本発明の第２実施の形態に係る二重サッシの横断面図である。
第２実施の形態では、内側閉塞体収納部１１は躯体壁８の室内側における内側サッシ竪枠３３の内周側に設けてあり、内側閉塞体収納部１１に位置する内側サッシ竪枠３３の内部に枠内空気層５３及び吸音材４５を設けていることが、上述した第１実施の形態と異なる。
即ち、内側閉塞体収納部１１に位置する内側サッシ竪枠３３は、横断面略コ字形状であり、コ字の開口を中間空気層２７に連通する連通部３７としてあり、内側サッシ竪枠３３に、中間空気層２７側から外周側に内側閉塞体収納部１１、吸音材４５、枠内空気層５３とをこの順序で配置している。
吸音材４５は内周側面が中間空気層２７に面し、吸音材４５の外周側面が枠内空気層５３に面している。
この第２実施の形態によれば、内側サッシ枠５の内部に吸音材４５と枠内空気層５３とを設けているから、中間空気層２７に伝播した音は吸音材４５と枠内空気層とによって減衰できるので、高い遮音効果を得ることができる。
吸音材４５のみでは高周波音しか減衰できないが、枠内空気層５３を吸音材４５に連通させることにより、低周波音も合わせて減衰できる。これにより、高周波域及び低周波域の両方に対して効果的な遮音を図ることができる。
吸音材４５は内側サッシ枠５の内部に設けており、外部から吸音材が見え難くいので、外観が良い。
躯体開口部に設置した内側サッシ枠５に枠内空気層５３を形成して吸音材４５を配置したり、予め吸音材４５及び枠内空気層５３を設けた内側サッシ枠５を躯体開口部に設置したりできるので、施行が容易である。
二重サッシ１には、内側閉塞体収納部１１を設けて内側閉塞体９を収納できるようにしてあるから、内側閉塞体９を開けたときに内側サッシ枠５の内周側に内側閉塞体９が残らないように広く開けることができる。
一つのサッシ枠に内側閉塞体収納部１１と吸音材４５と枠内空気層５３とを集約できるので施工が容易である。
また、内側閉塞体収納部１１を通じて吸音材４５を中間空気層に面することができ、内側サッシ枠５に吸音材用の連通孔を別途設けなくて済む。
【００２０】
図６を参照して、本発明の他の実施の形態を説明する。図６の（ａ）及び（ｂ）は各々、他の実施の形態に係る二重サッシの内側閉塞体収納部１１及びその周囲部分の横断面図である。図６（ａ）は、吸音材４５の室外側面に面して枠外周側空気層４７を設けたものである。図６（ｂ）は、吸音材４５の室内側面に面して枠外周側空気層４７を設けたものである。
図６（ａ）（ｂ）に示す他の実施の形態によれば、上述した第１実施の形態と同様の効果を得ることができる。
【００２１】
本発明は、上述した実施の形態に限らず、本発明の要旨を逸脱しない範囲で種々変形可能である。
吸音材４５は、グラスウールやロックウール等の繊維系吸音材や、薄膜吸音材、穴あき板、スリット板やこれらを複合して用いたものであってもよい。
内側閉塞体９と外側閉塞体７との少なくとも一方を複層パネルとしてもよい。
外側閉塞体７を嵌め殺し障子としてもよいし、上げ下げ障子や開き障子としてもよいし、窓種は問わない。
第１実施の形態において、竪枠３３側のみに閉塞空間部３９を設けたり、上枠２９側のみに閉塞空間部４１を設けてもよいし、他方の竪枠（左竪枠）３５に閉塞空間部３９を設けてもよい。また、上枠側に設ける閉塞空間部４１は上枠２９の長手方向に沿って上枠２９の端から端まで設けるものであってもよい。
内側サッシ枠５には下枠を設け、下枠の外周側に閉塞空間部３９を設けるものであってもよい。
第２実施の形態において、内側サッシ枠の一方の内側サッシ竪枠３３に吸音材４５と枠内空気層５３とを設け、他方の竪枠３５の外周側又は竪枠３５の枠内に閉塞体収納部１１を設けるものであってもよい。
第２実施の形態において、図６（ａ）（ｂ）に示す他の実施の形態と同様に、吸音材４５の室外側面や室内側面に面して枠内空気層５３を設けるものであってもよい。
第１実施の形態において、枠外周側空気層４７を吸音材４５の外周側面に面する位置と室内側面（又は室外側面）に面する位置との２箇所に設けたり、室外側面に面する位置と室内側面に面する位置との２箇所に設けたり、吸音材４５の室内側面と室外側面と外周側面との各面に面して３箇所に設けてもよい。同様に、第２実施の形態おいても、枠内空気層５３を吸音材４５の外周側面、室内側面、室外側面のうちの任意の２箇所の面又は３箇所の面に対面させて設けてもよい。
【図面の簡単な説明】
【００２２】
【図１】本発明の第１実施の形態に係る二重サッシの横断面図である。
【図２】図１のＡ−Ａ位置で切断した二重サッシの縦断面図である。
【図３】図１のＢ−Ｂ位置で切断した二重サッシの縦断面図である。
【図４】本発明品の遮音効果試験の結果を比較例と共に示すグラフである。
【図５】本発明の第２実施の形態に係る二重サッシの横断面図である。
【図６】（ａ）及び（ｂ）は各々、本発明の他の実施の形態に係る二重サッシの内側閉塞体収納部及びその周囲部分の横断面図である。
【符号の説明】
【００２３】
１      二重サッシ
３      外側サッシ枠
５      内側サッシ枠
７      外側閉塞体
８      躯体壁
９      内側閉塞体
１１    内側閉塞体収納部
１４    内壁
２７    中間空気層
３３    内側サッシ竪枠
３７    連通部
３９、４１    閉塞空間部
４５    吸音材
４７    枠外周側空気層
５３    枠内空気層
【図１】
0004483755.tif 000003
【図２】
0004483755.tif 000004
【図３】
0004483755.tif 000005
【図４】
0004483755.tif 000006
【図５】
0004483755.tif 000007
【図６】
0004483755.tif 000008